【事件の表示】
　特許第３１８５７９９号「デジタル放送信号受信装置及び方法」の請求項１ないし６に係る特許に対する特許異議の申立てについて、次のとおり決定する。
【結　論】
　特許第３１８５７９９号の請求項１ないし６に係る特許を維持する。
【理　由】
第１．本件特許発明
  特許第３１８５７９９号（平成１０年８月１１日出願、平成１３年５月１１日設定登録。）の請求項１ないし６に係る発明は、特許請求の範囲の請求項１ないし６に記載された事項により特定される以下のとおりのものである。
「【請求項１】　トランスポートパケットのペイロード部で主信号が伝送され、所定数のトランスポートパケットによりフレームが形成され、該フレーム内のトランスポートパケットの同期部の少なくとも一部が、フレーム同期信号、伝送系に係る制御信号、及び複数フレーム分の制御信号に対して生成されたリードソロモン符号に置き換えられ、第１のフレームでは上記フレーム同期信号、制御信号の順、第２のフレームでは上記フレーム同期信号、リードソロモン符号の順の各信号に基づく信号が上記主信号用に設けられた畳み込み符号化回路で畳み込み符号化されて伝送されるデジタル放送信号を受信するデジタル放送信号受信装置であって、受信した信号を復調する復調回路と、上記復調回路の出力信号が供給されて、上記制御信号、リードソロモン符号、主信号を復号するビタビ復号回路と、上記復号されたリードソロモン符号を用いて、上記制御信号の誤り訂正を行うリードソロモン復号回路とを有することを特徴とするデジタル放送信号受信装置。
　【請求項２】　上記主信号は、複数の変調方式の中から選択された変調方式で変調されて伝送されるものであり、上記制御信号は主信号にかけられた変調方式を特定する情報を含んでおり、上記リードソロモン復号回路の出力から得られた制御信号に基づいて、上記復調回路は制御されるようにしたことを特徴とする請求項１記載のデジタル放送信号受信装置。
　【請求項３】　上記受信した信号の上記同期部に当たる受信データを所定値に置換する置換手段を有することを特徴とする請求項１記載のデジタル放送信号受信装置。
　【請求項４】　トランスポートパケットのペイロード部で主信号が伝送され、所定数のトランスポートパケットによりフレームが形成され、該フレーム内のトランスポートパケットの同期部の少なくとも一部が、フレーム同期信号、伝送系に係る制御信号、及び複数フレーム分の制御信号に対して生成されたリードソロモン符号に置き換えられ、第１のフレームでは上記フレーム同期信号、制御信号の順、第２のフレームでは上記フレーム同期信号、リードソロモン符号の順の各信号に基づく信号が主信号用に設けられた畳み込み符号化回路で畳み込み符号化されて伝送されるデジタル放送信号を受信するデジタル放送信号受信方法であって、受信した信号を復調する復調工程と、上記復調工程により得られた信号を、上記制御信号、リードソロモン符号、主信号に復号するビタビ復号工程と、
　上記ビタビ復号工程により得られたリードソロモン符号を用いて、上記制御信号の誤り訂正を行うリードソロモン復号工程とを有することを特徴とするデジタル放送信号受信方法。
　【請求項５】　上記主信号は、複数の変調方式の中から選択された変調方式で変調されて伝送されるものであり、上記制御信号は主信号にかけられた変調方式を特定する情報を含んでおり、上記リードソロモン復号工程により得られた制御信号に基づいて、上記復調工程での復調動作が制御されるようにしたことを特徴とする請求項４記載のデジタル放送信号受信方法。
　【請求項６】　上記受信した信号の上記同期部に当たる受信データを所定値に置換することを特徴とする請求項４記載のデジタル放送信号受信方法。」
　
第２．申立の理由の概要
  特許異議申立人　衣畑登は、証拠として、
（１）甲第１号証・・・加藤、他「ＢＣＳ９６‐１４　１２ＧＨｚ帯衛星ＩＳＤＢへの階層伝送の適用」、テレビジョン学会技術報告、Ｖｏｌ．２０，ＮＯ．２２，平成８年３月１５日（第１１頁〜第１６頁）
（２）甲第２号証・・・特開平９−２３２１４号公報
（３）甲第３号証・・・Ｈ．Ｋａｔｏｈ、他「ＡＦｌｅｘｉｂｌｅ　Ｔｒａｎｓｍｉｓｓｉｏｎ　Ｔｅｃｈｎｉｑｕｅ　ｆｏｒ　ｔｈｅ　Ｓａｔｅｌｌｉｔｅ　ＩＳＤＢ　Ｓｙｓｔｅｍ」，ｌＥＥＥ　ＴＲＡＮＳＡＣＴＩＯＮＳ　ＯＮ　ＢＲＯＡＤＣＡＳＴＩＮＧ，Ｖｏｌ．４２，ＮＯ．３，平成８年９月（第１５９〜１６６頁）
（４）甲第４号証・・・特開平９−１２８８９０号公報
（５）甲第５号証・・・加藤、他「ＢＣＳ９７‐１２衛星ＩＳＤＢ伝送方式の検討」、映像情報メディア学会技術報告、Ｖｏｌ．２１．ＮＯ．２５，平成９年３月１９日（第１頁〜第６頁）
を提出し、本件の請求項１ないし６に係る発明の特許は、甲第１号証〜甲第５号証に記載された公知技術および発明に基づいて、その技術又はその発明に属する技術の分野における通常の知識を有するものが容易に発明をすることができたものであるから、特許法第２９条第２項の規定に違反してされたものであり、同法第１１３条第２号の規定により取り消されるべきものである旨主張する。
　
第３．甲各号証に記載された発明
（１）甲第１号証に記載された発明
　甲第１号証（加藤、他「ＢＣＳ９６‐１４　１２ＧＨｚ帯衛星ＩＳＤＢへの階層伝送の適用」、テレビジョン学会技術報告、Ｖｏｌ．２０，ＮＯ．２２，平成８年３月１５日（第１１頁〜第１６頁））には、図６，図７の記載とともに、「３．２．階層化に適した伝送方式・・・伝送方式として、ＱＰＳＫ，ＢＰＳＫと畳み込み符号（軟判定ビタビ、拘束長　Ｋ＝７）またはＴＣ８ＰＳＫを考える。共にＲＳ（２５５、２３９）の外符号を想定する。）（１３頁下から２３行ないし１７行）、「伝送方式制御信号はＭＰＥＧトランスポートストリーム（ＭＰＥＧ−ＴＳ）のＰＳＩ／ＳＩで伝送することも可能である。・・・そこで下位層に関わる伝送制御情報を伝送多重構成制御（ＴＭＣＣ；（Ｔｒａｎｓｍｉｓｓｉｏｎ　ａｎｄ　Ｍｕｌｔｉｐｌｅｘｉｎｇ　Ｃｏｎｆｉｇｕｒａｔｉｏｎ　Ｃｏｎｔｒｏｌ）信号としてすべての伝送路のＩＳＤＢにおいて一般化し、最も低レベルで放送波に多重伝送することにより実現する。この情報の伝送方式は受信機には既知であり、復調、復号が可能となる。この情報に基づきＭＰＥＧ−ＴＳを得るための受信機の復調系の設定を行う。」（１４頁右欄７行ないし２０行）、「ＩＳＤＢではパケット／フレーム構成を持つ信号を扱うため、階層化変調はパケット信号単位で行うことができる。すなわち、各階層の情報をパケット単位で変調方式を規定した後、多重伝送すればよい。・・・衛星ＩＳＤＢでは中継機の非線形特性でも劣化しないＰＳＫを基本とした変調方式を時間多重（ＴＤＭ）する方式が有利である。」（１４頁右欄２２行ないし３０行）、「このように階層化したＩＳＤＢの信号生成の一例をＦｉｇｕｒｅ６に示す。この例では、低階層にＱＰＳＫを用い」（１４頁右欄下から１３行ないし１１行）、「ＩＳＤＢでは様々な拡張性を考慮し、各パケットの先頭に余剰シンボル期間を１バイト付加している。この期間は、ＩＳＤＢフレーム構造を受信機で認識するためのフレーム同期の伝送にも利用できる。フレーム同期信号の長さは１６ビットが必要である。この時の多重フレーム構造と同期信号の位置をＦｉｇｕｒｅ７に示す。・・・（中略）・・・さらに、ＴＭＣＣ信号の伝送もこの領域を利用する。なおＴＭＣＣ信号期間には適当な誤り訂正を加え、信頼性をさらに高くすることが可能である。」（１５頁右欄２行ないし１３行）、「受信機ではＢＰＳＫ／ＴＤＭで多重されている同期を最初に補足するためその直後のＴＭＣＣ信号も最も低いレベルでの復調が可能である。・・・その後、ＴＭＣＣ信号を復調し、ＭＰＥＧ−ＴＳを得るための受信モードの設定を行う。同期とＴＭＣＣ信号をＢＰＳＫ伝送することによるフレーム周期の調整は、同期、ＴＭＣＣ信号のないＩＳＤＢパケットの余剰シンボルので調整を行う。」（１５頁右欄１３行ないし２５行）の記載がある。
　これらの記載によれば、甲第１号証には、請求項１〜６に係る発明でいうところの「トランスポートパケットのペイロード部で主信号が伝送され、所定数のトランスポートパケットによりフレームが形成され、該フレーム内のトランスポートパケットの同期部が、フレーム同期信号、伝送系に係る制御信号に置き換えられ、主信号用は畳み込み符号化回路で畳み込み符号化されて伝送されるデジタル放送信号を受信するデジタル放送信号受信装置又は方法であって、受信した信号を復調する復調回路又は行程と、上記復調回路又は行程の出力信号が供給されて、上記主信号を復号する復号回路又は行程とを有するデジタル放送信号受信装置又は方法。」の発明（以下、「甲第号１証に記載された発明」という。）が開示されているものと認められる。
　
（２）甲第２号証（特開平９−２３２１４号公報）には、「本発明は、地上系、衛星系、ＣＡＴＶ系等のディジタル変調された信号を受信するディジタル放送受信機に関する。」（【産業上の利用分野】）、「現在国内では、通信衛星を用いた１２ＧＨｚ帯ＭＳＫ変調方式によるディジタル音楽放送がおこなわれており、将来は、１２ＧＨｚあるいは２１ＧＨｚ帯の放送衛星によるＱＰＳＫ変調方式を用いたディジタルＴＶ放送も計画されている。」（【従来の技術】）、「これらの階層化データビットは、先頭に同期・制御符号データからなるヘッダを付加し、時間軸上に多重し、パケット伝送方式で伝送する。（【００１４】）、「情報源から送られてくる情報データに優先順位を付けて情報データの階層化を行う情報階層化手段と、階層化データにそれぞれ同期・制御符号を含むヘッダを付加するデータ変換手段と、階層化データ毎に付加するパリティビット数を制御して優先順位の高い階層化データの誤り訂正能力を優先順位の低い階層化データの誤り訂正能力より高く設定し、且つ各階層の情報データとパリティビットの合計が等しくなるように制御するパリティビット数設定手段と、から少なくとも構成され、伝送パケット長を一定としてヘッダを付加して信号を送信することを特徴とするディジタル信号送信装置。」（【請求項１】）、「２１は外符号誤り訂正回路である。誤り訂正方式としては例えばブロック符号方式（ＢＣＨ、リードソロモン符号等）を用いる。・・・２２は誤り訂正の能力を設定するパリティビット数設定器であり、階層化データビットごとに付加するパリティビット数を制御し、優先順位の高い階層化データの誤り訂正能力を優先順位の低い階層化データの誤り訂正能力より高く設定する。つまり、優先順位の高い階層化データは、情報ビット数が少ないが、付加するパリティビット数を増やして、一般的には、各階層の情報ビットとパリティビットの合計は、等しくなるように制御する。また、同期・制御符号４７のパリティビット数は、一定のビット数に設定する。パリティビット数設定回路２２から出力される設定信号５１と誤り訂正回路２１に入力されるビットストリーム５０は、同期制御符号４７により同期をとり、階層化データのヘッダ位置および各ヘッダに付随する階層化データを検出する。」（【００２６】）、「９は内符号誤り訂正回路である。誤り訂正方式としては、例えば畳み込み符号化方式を用いる。」（【００２８】」、「（ｉｉｉ）はへッダ４７の構成を示しており、一定パターンの同期符号と、誤り訂正の符号化率（パリティビット長）、変調方式等の制御符号、各へッダでビット数が一定である誤り訂正のパリティビットから構成される。」（【００３０】）、「アンテナで受信された信号は、ダウンコンバータで周波数変換され、復調回路１３に入力される。復調回路１３では、例えばＱＰＳＫ復調をおこない、内符号誤り復号回路１４で畳み込み符号等の復号を行う。」（【００３１】」の記載がある。これらの記載によれば、甲第２号証には、受信信号を復調し、内符号誤り復号回路で内符号を畳み込み等の復号をする技術が開示されているものと認められる。
　
（３）甲第３号証（Ｈ．Ｋａｔｏｈ、他「ＡＦｌｅｘｉｂｌｅ　Ｔｒａｎｓｍｉｓｓｉｏｎ　Ｔｅｃｈｎｉｑｕｅ　ｆｏｒ　ｔｈｅ　Ｓａｔｅｌｌｉｔｅ　ＩＳＤＢ　Ｓｙｓｔｅｍ」，ｌＥＥＥ　ＴＲＡＮＳＡＣＴＩＯＮＳ　ＯＮ　ＢＲＯＡＤＣＡＳＴＩＮＧ，Ｖｏｌ．４２，ＮＯ．３，平成８年９月（第１５９〜１６６頁））には、所定数のトランスポートストリームパケットから構成されるフレームにおいて、該パケットの同期部の少なくとも一部を伝送系に係る制御信号に置き換えることおよびパケットの同期部の残りはフレーム同期信号に用いている技術が開示されているものと認められる。
　
（４）甲第４号証（特開平９−１２８８９０号公報）には、「本発明は、記録媒体にディジタル信号を記録する信号記録方法及び装置、記録媒体に記録されているディジタル信号を再生する信号再生方法及び装置、ディジタル信号を送信する信号送信方法及び装置、送信されたディジタル信号を受信する信号受信方法及び装置、並びにディジタル信号が記録されている記録媒体に関する。」（【発明の属する技術分野】）、「伝送媒体の伝送容量及び伝送速度も限られたものである。・・・（中略）・・・ディジタル信号と同時にディジタル情報をも記録或いは伝送するようなことは、上記記憶容量や伝送容量、伝送速度の点から望ましくない。しかし、上記ディジタル情報が特に重要な情報である場合には、記録又は伝送しなければならない。」（【００１４】）、「ディジタル映像信号やディジタル音響信号のようなディジタル信号と共に別のディジタル情報を記録や伝送する時に、記録容量や伝送容量、伝送速度に与える影響を少なくして、このディジタル情報を記録或いは伝送することができる・・・（中略）・・・信号送信方法及び装置、信号受信方法及び装置、…（中略）…をも目的とする。」（【００１５】）、「これらディジタル信号に対して別の異なる特定のディジタル情報（以下、特に識別情報と呼ぶ）を付加して・・・」（【００２２】）、「この図１において、上記セクタは、横方向に２フレーム、縦方向に１４フレームが配置され、…（中略）・・・フレームとは、同期信号（シンク）が挿入されている単位であり、・・・」（【００２２】）、同頁右欄第２６段落に「当該セクタのうち、図中の水平方向に並ぶ２つのフレームの右端には、８ビットのパリティＣ１と１４ビットのパリティＣ２が配置されている。これらは、エラー訂正符号であり・・・」（【００２６】）載され、同欄第２７段落に「上記セクタのパリティの一部を置換することによって、上記識別情報を上記ディジタル信号に付加するようにしている。」（【００２７】）、「上記識別情報の欠落防止策としては、当該識別情報自体に誤り訂正符号を付加するようなことも可能である。・・・（中略）・・・当該識別情報用に与えられたバイト数が例えば前記１４バイトであるとしたとき、例えば１０バイトを識別情報自体に割り当て、残りの４バイトを誤り訂正符号を付加するようなことも可能である。・・・（中略）・・・当該１０セクタの各識別情報に割り当てられる例えば１４０バイトのうち、例えば１００バイト分を識別情報に、残りの４０バイト分を誤り訂正符号に割り当てるようなことができる。」（【００３０】）、「無線電波（地上用のみならず衛星通信用も含む）等の信号伝送媒体を用いて信号の送信、受信を行う際に、当該送受信信号に前述同様にして識別情報を付加することも可能である。」、「上述した各実施例にて使用する識別情報としては、・・・（中略）・・・コピーされたディジタル信号かを示す履歴情報や前記暗号化の鍵情報の他に、製造者ＩＤ、製作者ＩＤ、フォーマッタＩＤ、コピー禁止／許可等のコピー管理情報等を用いることも可能である。」（【０１２０】）の記載がある。
　これらの記載によれば、甲第４号証には、デジタル信号に対して所定の単位で誤り訂正符号を付加し、誤り訂正符号の所定の一部を識別情報に置換し、一部を識別情報に置換した誤り訂正符号が付加されたデジタル信号を送受信する技術が開示されているものと認められる。
　
（５）甲第５号証（加藤、他「ＢＣＳ９７‐１２衛星ＩＳＤＢ伝送方式の検討」、映像情報メディア学会技術報告、Ｖｏｌ．２１，ＮＯ．２５，平成９年３月１９日（第１頁〜第６頁））には、「通信衛星（ＣＳ）によるディジタル衛星放送の規格が電通技審で答申されたことを受けて、昨年よりサービスが始まり、多くの番組が提供されている。」（１頁左下欄２行ないし４行）、「ＴＭＣＣ信号はあらかじめ決められた伝送方式で放送波に多重して伝送し、受信機では初めにこの信号を復調、復号して主信号の復調に関する情報を取得する。・・・（中略）・・・ＴＭＣＣの制御項目は具体的には、次が考えられる。・放送波の主信号変調方式・・・（中略）・・・一定のシンボルレートで主信号の変調方式をＴＭＣＣであらかじめ受信機に通知することで、いずれの変調方式にも対応できる。」（３頁左欄１０行ないし２０行）、また、、「受信側では、ＩＳＤＢ同期を検出後元のＭＰＥＧパケット同期（４７ｈ）に戻してＭＰＥＧ‐ＴＳを復元する。」（４頁左欄２１行ないし２３行）の記載があり、これらの記載によれば甲第５号証には、デジタル衛星放送において、ＴＭＣＣ信号はあらかじめ決められた伝送方式で放送波に多重して伝送し、受信機では初めにこの信号を復調、復号して主信号の復調に関する情報を取得する技術が開示されているものと認められる。
　
第４．　対比・判断
１．請求項１に係る発明について
　本件の請求項１に係る発明と甲第１号証に記載された発明とを対比すると、両者は、下記の点で一致ないし相違する。
（１）一致点
「トランスポートパケットのペイロード部で主信号が伝送され、所定数のトランスポートパケットによりフレームが形成され、該フレーム内のトランスポートパケットの同期部の少なくとも一部が、フレーム同期信号、伝送系に係る制御信号に置き換えられ、主信号は畳み込み符号化回路で畳み込み符号化されて伝送されるデジタル放送信号を受信するデジタル放送信号受信装置であって、受信した信号を復調する復調回路と、上記復調回路の出力信号が供給されて、上記主信号を復号する復号回路を有するデジタル放送信号受信装置。」
　
（２）相違点
（ア）フレーム内のトランスポートパケットの同期部について、請求項１に係る発明では、フレーム同期信号、伝送系に係る制御信号、及び複数フレーム分の制御信号に対して生成されたリードソロモン符号に置き換えられるのに対して、甲第１号証に記載された発明では、フレーム同期信号、伝送系に係る制御信号に置き換えられる点。
（イ）畳み込み符号化について、請求項１に係る発明では、第１のフレームではフレーム同期信号、制御信号の順、第２のフレームではフレーム同期信号、リードソロモン符号の順の各信号に基づく信号が主信号用に設けられた畳み込み符号化回路で畳み込み符号化されて伝送されるのに対して、甲第１号証に記載された発明では、主信号用について畳み込み符号化されて伝送される点。
（ウ）請求項１に係る発明には、制御信号、リードソロモン符号、主信号を復号するビタビ復号回路と、復号されたリードソロモン符号を用いて、制御信号の誤り訂正を行うリードソロモン復号回路とを有するのに対して、甲第１号証に記載された発明には、そのような回路を有るか否かは不明である点。
　
（３）当審の判断
　甲第２号証から甲第５号証には、少なくとも本件の請求項１に係る発明を特定する事項である、「第１のフレームではフレーム同期信号、制御信号の順、第２のフレームではフレーム同期信号、リードソロモン符号の順の各信号に基づく信号が主信号用に設けられた畳み込み符号化回路で畳み込み符号化されて伝送されるデジタル放送信号を受信する」という事項について記載も示唆もないから、請求項１に係る発明は、甲第１号証ないし甲第５号証に記載された発明から容易に発明をすることができたものとはいえない。
　
２．請求項２、３に係る発明について
　本件の請求項２，３に係る発明は、請求項１に係る発明を更に限定したものであるから。上記本件の請求項１に係る発明についての判断と同様の理由により、甲第１号証ないし甲第５号証に記載された発明から容易に発明をすることができたものとはいえない。
　
３．請求項４に係る発明について
　本件の請求項４に係る発明と甲第１号証に記載された発明とを対比すると、両者は、下記の点で一致ないし相違する。
（１）一致点
「トランスポートパケットのペイロード部で主信号が伝送され、所定数のトランスポートパケットによりフレームが形成され、該フレーム内のトランスポートパケットの同期部の少なくとも一部が、フレーム同期信号、伝送系に係る制御信号に置き換えられ、主信号は畳み込み符号化回路で畳み込み符号化されて伝送されるデジタル放送信号を受信するデジタル放送信号受信方法であって、受信した信号を復調する復調行程と、上記復調行程の出力信号が供給されて、上記主信号を復号する復号行程を有するデジタル放送信号受信方法。」
　
（２）相違点
（ア）フレーム内のトランスポートパケットの同期部について、請求項１に係る発明では、フレーム同期信号、伝送系に係る制御信号、及び複数フレーム分の制御信号に対して生成されたリードソロモン符号に置き換えられるのに対して、甲第１号証に記載された発明では、フレーム同期信号、伝送系に係る制御信号に置き換えられる点。
（イ）畳み込み符号化について、請求項１に係る発明では、第１のフレームではフレーム同期信号、制御信号の順、第２のフレームではフレーム同期信号、リードソロモン符号の順の各信号に基づく信号が主信号用に設けられた畳み込み符号化回路で畳み込み符号化されて伝送されるのに対して、甲第１号証に記載された発明では、主信号用について畳み込み符号化されて伝送される点。
（ウ）請求項１に係る発明には、制御信号、リードソロモン符号、主信号を復号するビタビ復号行程と、復号されたリードソロモン符号を用いて、制御信号の誤り訂正を行うリードソロモン復号行程とを有するのに対して、甲第１号証に記載された発明には、そのような行程を有るか否かは不明である点。
　
（３）当審の判断
　甲第２号証から甲第５号証には、少なくとも本件の請求項４に係る発明を特定する事項である、「第１のフレームではフレーム同期信号、制御信号の順、第２のフレームではフレーム同期信号、リードソロモン符号の順の各信号に基づく信号が主信号用に設けられた畳み込み符号化行程で畳み込み符号化されて伝送されるデジタル放送信号を受信する」という事項について記載も示唆もないから、請求項４に係る発明は、甲第１号証ないし甲第５号証に記載された発明から容易に発明をすることができたものとはいえない。
　
４．請求項５，６に係る発明について
　本件の請求項５，６に係る発明は、請求項４に係る発明を更に限定したものであるから。上記本件の請求項４に係る発明についての判断と同様の理由により、甲第１号証ないし甲第５号証に記載された発明から容易に発明をすることができたものとはいえない。
　
５．むすび
　以上のとおりであるから、特許異議申立ての理由によっては本件の請求項１ないし６に係る発明についての特許を取り消すことはできない。
　また、他に本件発明についての特許を取り消すべき理由を発見しない。
　よって、結論のとおり決定する。
【異議決定日】
平成１４年３月１９日（２００２．３．１９）